(57)【要約】【課題】本発明は、強度の外力が繰り返し加えられるような特殊な状況下での使用においても、漏水や破裂のおそれが全くない流体収納用袋を提供することを目的とする。【解決手段】本発明に係る流体収納用袋Ａは、表裏２枚のシート１０ａ，１０ｂよりなり全周が一箇所を残して密封されてなる袋本体１０と、一端側が前記一箇所に接続され、他端側が袋本体の外方に延出した注入排出筒３０と、前記注入排出筒３０における注入排出口の閉塞手段２８と、前記注入排出筒における前記袋本体接続側基部１４の内周面の一部又は全周に貼付した補強用テープ４０とを備えたものである。【選択図】  図１
2009054171.tif 000002
【特許請求の範囲】
【請求項１】
表裏２枚のシートよりなり全周が一箇所を残して密封されてなる袋本体と、一端側が前記一箇所に接続され、他端側が袋本体の外方に延出した注入排出筒と、前記注入排出筒における注入排出口の閉塞手段と、前記注入排出筒における前記袋本体接続側基部の内周面の一部又は全周に貼付した補強用テープとを備えたことを特徴とする流体収納用袋。
【請求項２】
注入排出筒は２枚のシートの両側部を接着して形成され、補強用テープは、注入排出筒の両側接着部において、少なくとも注入排出筒を形成する２枚のシートを架け渡すようにして貼付されていることを特徴とする請求項１に記載の流体収納用袋。
【請求項３】
注入排出筒の両側接着部と補強用テープとの間に空隙が存することを特徴とする請求項２に記載の流体収納用袋。
【請求項４】
注入排出筒の内面側と補強用テープの接着面となる外面側とが同一素材の溶融圧着性プラスチックス材であり、補強用テープの非接着面である内面側は補強用テープの外面側より高融点のプラスチックス材であることを特徴とする請求項１〜３のいずれか１項に記載の流体収納用袋。
【発明の詳細な説明】
【技術分野】
【０００１】
この発明は袋に関し、特に、液体、粉体、粒体、ゲル状物、練状物等の流体の収納及び／又は搬送に好適な流体収納用袋に関する。
【背景技術】
【０００２】
本発明者は、先に、飲料水を保存するなどの目的で、下記特許文献１に示されるように、表裏２枚のシートよりなり全周が一箇所を残して密封されてなる袋本体と、一端側が前記一箇所に接続され、他端側が袋本体の外方に延出した扁平筒状の注入排出筒と、前記注入排出筒における前記袋本体近傍の基部の前面側に配したポケット部とからなる袋を開発し、前記注入排出筒をその軸方向に折り畳んでポケット部に収納することにより、注入排出筒の開口部を閉塞することができる袋を発明した。
【特許文献１】特開平９−３１５４４５号
【発明の開示】
【発明が解決しようとする課題】
【０００３】
前記のような袋に流体を収納して注入排出筒の開口部を閉塞した場合に、通常の保管及び搬送における使用状況においては全く問題は生じない。しかし、その袋に対して落下や過度の押圧等による強度の外力が加わると、注入排出筒の袋側基部において、図１３に示すように、注入排出筒を膨張させようとする内圧(細矢印で示す)が掛かる。この内圧が注入排出筒を構成する２枚のシートの接着部に集中して、接着部を引き剥がす方向の力（白抜き太矢印で示す）となる。そして、外力が繰り返し加わると前記接着部が徐々に引き剥がれていき、場合によっては接着部が剥離して漏水するおそれがあった。実際に従来の袋が破壊されるまで強度な押圧力を加えると、注入排出筒の袋側基部における接着部が剥離して漏水するが、注入排出筒の袋側基部以外の箇所から漏水するようなことはなかった。【０００４】
本発明は、上記のような強度の外力が繰り返し加えられるような特殊な使用状況下においても、漏水や破裂のおそれが全くない流体収納用袋を提供することを目的とする。
【課題を解決するための手段】
【０００５】
本発明に係る流体収納用袋は、表裏２枚のシートよりなり全周が一箇所を残して密封されてなる袋本体と、一端側が前記一箇所に接続され、他端側が袋本体の外方に延出した注入排出筒と、前記注入排出筒における注入排出口の閉塞手段と、前記注入排出筒における前記袋本体接続側基部の内周面の一部又は全周に貼付した補強用テープとを備えたことを特徴とするものである。このように構成したことにより、前記補強用テープは前記注入排出筒の前記袋本体接続側基部が破損するのを防止する機能を果たす。【０００６】
また、前記の構成に加え、注入排出筒は２枚のシートの両側部を接着して形成され、補強用テープは、注入排出筒の両側接着部において、少なくとも注入排出筒を形成する２枚のシートを架け渡すようにして貼付されている構成としてもよい。【０００７】
さらに、前記の構成に加え、注入排出筒の両側接着部と補強用テープとの間に空隙が存するように構成してもよい。【０００８】
さらにまた、注入排出筒の内面側と補強用テープの接着面となる外面側とが同一素材の溶融圧着性プラスチックス材であり、補強用テープの非接着面である内面側は補強用テープの外面側より高融点のプラスチックス材である構成としてもよい。
【発明の効果】
【０００９】
本発明に係る流体収納用袋は、上記の構成により、強度の外力が繰り返し加えられるような特殊な状況下での使用においても、漏水や破裂のおそれが全くないものとなる。
【発明を実施するための最良の形態】
【００１０】
本発明の好適な実施例を添付の図の従って詳細に説明する。
【実施例】
【００１１】
図１は本実施例の流体収納用袋の上半部を示す正面図である。図２は本実施例の流体収納用袋の下半部を示す正面図である。図３は図１におけるIII-III線端面図である。図４は注入排出筒における袋本体接続側基部の内周面に貼付した補強用テープに対する圧力の掛かり状態を示す模式図である。図５は本実施例の流体収納用袋に水を収納した状態を示す斜視図である。図６は図１におけるVI-VI線端面図である。図７は図１におけるVII-VII線端面図である。図８は本実施例の流体収納用袋の蓋部を開けた状態を示す下半部省略正面図である。図９は図８におけるIX-IX線端面図である。図１０は本実施例の流体収納用袋の蓋部を閉じた状態を示す下半部省略端面図である。図１１は図８において注入排出筒を引き延ばすと共に絞り込んだ状態を示す下半部省略正面図である。図１２は本実施例の流体収納用袋に水を収納してリュック状に構成した状態を示す斜視図である。【００１２】
図１及び図２において、Ａは本実施例の流体収納用袋（以下、単に「袋」という。）であり、該袋Ａは、袋本体１０と、一つの注入排出筒３０とから形成される。各図に示すように、袋本体１０は、プラスチックフィルム等よりなる表裏２枚のシート１０ａ，１０ｂをその四周において溶着することにより形成されている。すなわち、溶着部は、上部溶着部１２ａ、左側溶着部１２ｂ、右側溶着部１２ｃ、底部溶着部１２ｄ，１２ｅがあり、いずれも線状に溶着されている。なお、袋本体１０は、上部溶着部１２ａより下の箇所をいうものとする。そして、この上部溶着部１２ａにおいては、表裏シート１０ａ，１０ｂが溶着されているが、上部溶着部１２ａの線上であっても、図１における中央部よりやや左の流体送通箇所１４においては、表裏シート１０ａ，１０ｂは溶着されていない。【００１３】
注入排出筒３０は同じくプラスチックフィルムよりなる扁平筒状体であり、内容物の注入と排出との双方を行う。その下端３２ｂは、前記の上部溶着部１２ａすなわち流体送通箇所１４よりやや下方に位置している。この注入排出筒３０を構成する表裏シート３０ａ，３０ｂは、その両側部３２ｃ，３２ｄにおいて相互に溶着され、その上端３２ａ及び下端３２ｂが開口している。そして、この注入排出筒３０は袋本体１０に対して次のように取付けられる。すなわち、流体送通箇所１４において、注入排出筒３０の図１における手前側（表側）のシート３０ａの外面は、袋本体１０を構成する手前側（表側）のシート１０ａの内面と溶着されている。また、注入排出筒３０を構成する背面側（裏側）のシート３０ｂの外面は、袋本体１０を構成する背面側（裏側）のシート１０ｂの内面に溶着されている。このようにして、注入排出筒３０が袋本体１０に溶着固定されるとともに、注入排出筒３０の下方に位置する流体送通箇所１４のみにおいて、袋本体１０は注入排出筒３０を通じて外部と連通しており、袋本体１０はその余の箇所においては全て密閉している。【００１４】
この注入排出筒３０には、図３に示すように、袋本体１０に対して溶着固定により接続されている側の基部、すなわち前記流体送通箇所１４の内周面に補強用テープ４０が溶着固定されている。そして、補強用テープ４０は、注入排出筒３０を構成する２枚のシート３０ａ，３０ｂの両側部３２ｃ，３２ｄにおける接着部において、注入排出筒３０を形成する２枚のシート３０ａ，３０ｂを架け渡すようにして溶着固定されている。しかも、注入排出筒３０の両側部３２ｃ，３２ｄにおける接着部と補強用テープ４０との間に空隙ｐが存するように補強用テープ４０が接着されている。このように構成したことにより、補強用テープ４０は前記注入排出筒３０における流体送通箇所１４の破損を防止する。すなわち、上記袋Ａに、図５及び図１０に示すように、流体を収納し、開口している注入排出筒３０の上端３２ａを閉塞した場合に、その袋に対して落下や押圧等による強度の外力が加わると、図４に示すように、注入排出筒３０の流体送通箇所１４において、注入排出筒３０を膨張させようとする内圧（細矢印で示す）が掛かる。しかし、この内圧は、補強用テープ４０を伸張させる方向の力（白抜き太矢印で示す）となり、この伸張力に対する補強用テープ４０の強度が、前記の内圧による注入排出筒３０を構成する２枚のシート３０ａ，３０ｂの接着部を引き剥がす方向の力を抑止することとなる。しかも補強用テープ４０が少々伸張しても、空隙ｐの存在により注入排出筒３０を構成するシート３０ａ，３０ｂがこの伸張に対して追随するため、補強用テープ４０が引きちぎれる程に伸張して、注入排出筒３０を構成する２枚のシート３０ａ，３０ｂの接着部に、両シート３０ａ，３０ｂの接着を引き剥がす力が加わらない限り、注入排出筒３０の流体送通箇所１４が破損するような事態は発生しないこととなる。【００１５】
なお、本実施例においては、補強用テープ４０は、注入排出筒３０の内周面において、一部を除く周囲に貼付されているが、全周に渡って貼付してもよく、また、注入排出筒３０を構成する２枚のシート３０ａ，３０ｂの２箇所の接着部３２ｃ，３２ｄのみに両接着部３２ｃ，３２ｄを跨ぐように貼付してもよい。また、本実施例においては、補強用テープ４０は、比較的細幅のテープであるが、広幅のテープを使用すれば補強面積が大きくなるので、耐久性を向上させる効果がある。【００１６】
また、補強用テープ４０の接着面となる外面側は、注入排出筒３０の内面側と同一素材の溶融圧着性プラスチックス材、例えばポリエチレンを使用し、補強用テープ４０の非接着面である内面側には、補強用テープ４０の外面側より高融点のプラスチックス材、例えばナイロンを積層した構成としている。このように構成すれば、上部溶着部１２ａを形成する際に、表裏シート１０ａ，１０ｂと注入排出筒３０との熱溶着及び注入排出筒３０と補強用テープ４０との熱溶着を同時に行うことができるので、作業性が向上する利点がある。【００１７】
表裏シート１０ａ，１０ｂは上部の溶着部１２ａより上方に伸びて延長部２０を形成している。この延長部の上端２０ａと左右両側部２０ｂ，２０ｃとにおいて、表裏シート１０ａ，１０ｂが溶着されている。但し、図１及びその端面図である図６及び図７に示すように、上端の溶着部２０ａにおいては、図１における左側の箇所２２において表裏シート１０ａ，１０ｂは溶着されていない。この非溶着箇所２２は、前記の上部溶着部１２ａにおける流体送通箇所１４と軸方向に一致した位置にある。そして、この非溶着箇所２２を扁平な筒状体の注入排出筒３０が通過している。この実施例においては、前記非溶着箇所２２において表裏シート１０ａ，１０ｂと注入排出筒３０とは溶着されていない。なお、２４は延長部に設けた手提用の孔であり、この手提用の孔２４に指を差し入れて袋Ａを手で提げることができるようになっている。【００１８】
そして、図６に示すように、前面側のシート１０ａと注入排出筒３０との間の空間部は、注入排出筒３０を折り畳んだ状態で収容するためのポケット部２６を形成する。背面側のシート１０ｂの前記箇所２２においては、このポケット部２６を閉じる蓋２８が溶着されている。図１に示す状態において液体等を袋本体１０の内部に注入した後、図８及び図９に示すように、注入排出筒３０をその軸方向に折畳んで、ポケット部２６の内部に収納する。また、蓋２８の先端に面ファスナーの雌部材２８ｃが設けられており、蓋２８を袋本体１０の側に折り返した際に雌部材２８ｃと対応する箇所に雄部材１０ｃが取り付けられている。そして、蓋２８を、ポケット部２６に収納した注入排出筒３０の折畳み体３０’を覆うようにして、その自由端２８ａを袋本体１０を構成する前面側の表シート１０ａのさらに前面側に折り返し、自由端２８ａに配した面ファスナーの雌部材２８ｃと袋本体１０を構成する前面側の表シート１０ａに配した面ファスナーの雄部材１０ｃを係合させることにより、ポケット部２６を蓋２８により閉塞する（図１０）。このようにポケット部２６を蓋２８により閉塞すると、折畳み体３０’の折畳み状態が保持される。したがって、袋内部に収納された液体等が外部へ漏出しようとしても、このように折り畳み状態が保持された注入排出筒３０を液体等が通過することができない。なお、図９及び図１０においては、簡単のため、注入排出筒３０を構成する表裏シート３０ａ，３０ｂはそれぞれ１本の線で表わし、厚みは表していない。また、折畳み体３０’はその角部を円弧状に表しているが、実際には、折線状に屈曲しており、屈曲部の角部により液体等の通過を遮断することができる。そして、注入排出筒３０をポケット部２６の内部に折り畳んだ状態において、蓋２８を閉塞する際には、これら雌雄部材２８ｃ，１０ｃが蓋の閉塞状態を保持する手段となる。【００１９】
また、図８に示すように、前記の雌部材２８ｃには穴２８ｄが形成されている。この穴２８ｄは上下にある円形口２８ｅ，２８ｆと両者を連結する線状の切込み２８ｇとからなる。そして、注入排出筒３０を引き延ばした状態で、図１１に示すように、この穴２８ｄに挿入する。これにより、注入排出筒３０は穴２８ｄにより絞り込まれる。この穴２８ｄは上下に円形口２８ｅ，２８ｆを有することによりその拡開が容易であり、したがって、注入排出筒３０の挿入が容易である。しかも、２つの円形口２８ｅ，２８ｆの間に線状の切込み２８ｇを有することにより、挿入された注入排出筒３０がこの切込み２８ｇの箇所で強く圧迫されて、効果的な絞り込み状態を得ることができる。【００２０】
次に、図２により袋本体１０の底部１５について説明する。この底部１５はガゼット状に折畳まれている。すなわち、表裏シート１０ａ，１０ｂは、底部１５において、その対向面側に折返されている。折返し片１６ａ，１７ａは頂部１８において連続している。このようにして、表裏２枚の折重ね部１６，１７が形成される。いずれの折重ね部１６，１７にも斜め方向の溶着部１６ｂ，１７ｂが形成されており、袋内の液体がこの溶着部１６ｂ，１７ｂにより遮断されて底部の隅角部１８ａに到達しないように構成されている。このような底部構造を有しているので、内部に水等を収納した場合には、底部１５が広がり、図５の斜視図に示すような形態になる。本実施例では、袋本体１０が表裏２枚のシート１０ａ，１０ｂでできた偏平なものであって底部１５にマチを有するものを示したが、底部にマチを有さないもの、逆に、袋本体の側部にもマチを有するものもこの発明の範囲内である。【００２１】
図１２は本実施例の袋Ａをリュックのように背負うことができる形態に構成したものである。すなわち、袋底部１５の左右両側の偶角部１８ａに穴１５ａが設けられており、延長部２０に設けた手提げ用の孔２４と底部１５の４つの穴１５ａとの間に紐Ｂを掛け渡し、この紐Ｂにより袋Ａを背負うことができるようにしたものである。【００２２】
［実験例］
発明者は、上記実施例に示す発明品及び特許文献１に示される従来品を次の要領で作成し、強度に関する比較試験を行った。【００２３】
発明品の構成：０．１５ｍｍ厚のナイロン・ポリエチレンを主体にした多層フィルムにより形成され、大きさ縦横３４０ｍｍで内容量約６リッターのものであって、補強用テープを備えた袋を試料として３個作成し、それぞれ発明品Ａ、発明品Ｂ、発明品Ｃとした。【００２４】
従来品の構成：０．１５ｍｍ厚のナイロン・ポリエチレンを主体にした多層フィルムにより形成され、大きさ縦横３４０ｍｍで内容量約６リッターのものであって、補強用テープを備えていない袋を試料として３個作成し、それぞれ従来品Ａ、従来品Ｂ、従来品Ｃとした。【００２５】
試験方法
袋内に６リッターの水を注入し、注入排出筒を蓋で閉塞して、水平な台上に寝かせて置き、寝かせた袋の上面全体を覆う加圧板により５０ｍｍ／ｍｉｎの速度で圧縮荷重を加えて、袋が破壊に至る最大荷重値を測定した。その測定結果を表１に示す。
【表１】
2009054171.tif 000003
【００２６】
試験結果
上記の測定において、いずれの袋も本発明の課題とする袋における注入排出筒の袋本体接続側基部の箇所で破壊されていた。そして、上記の測定結果から、従来品においても人の体重の２倍以上の荷重に耐え得る十分な強度があることが判明した。そして、さらに、従来品の最大荷重値の最大値と発明品の最大荷重値の最小値とを比較しても、発明品の最大荷重値の最小値は従来品の最大荷重値の最大値の１．７６倍となっており、発明品の強度が著しく向上していることが判明した。
【図面の簡単な説明】
【００２７】
【図１】本発明に係る実施例の流体収納用袋の上半部を示す正面図である。
【図２】本発明に係る実施例の流体収納用袋の下半部を示す正面図である。
【図３】図１におけるIII-III線端面図である。
【図４】本発明に係る実施例の流体収納用袋の注入排出筒における袋本体接続側基部の内周面に貼付した補強用テープに対する圧力の掛かり状態を示す模式図である。
【図５】本発明に係る実施例の流体収納用袋に水を収納した状態を示す斜視図である。
【図６】図１におけるVI-VI線端面図である。
【図７】図１におけるVII-VII線端面図である。
【図８】本発明に係る実施例の流体収納用袋の蓋部を開けた状態を示す下半部省略正面図である。
【図９】図８におけるIX-IX線端面図である。
【図１０】本発明に係る実施例の流体収納用袋の蓋部を閉じた状態を示す下半部省略端面図である。
【図１１】図８において注入排出筒を引き延ばすと共に絞り込んだ状態を示す下半部省略正面図である。
【図１２】本発明に係る実施例の流体収納用袋に水を収納してリュック状に構成した状態を示す斜視図である。
【図１３】従来例における注入排出筒における袋本体接続側基部の内周面にに対する圧力の掛かり状態を示す模式図である。
【符号の説明】
【００２８】
Ａ・・・・・袋
１０・・・・袋本体
１０ａ・・・袋本体を構成する表側のシート
１０ｂ・・・袋本体を構成する裏側のシート
１０ｃ・・・面ファスナーの雄部材
１２ａ・・・上部溶着部
１２ｂ・・・左側溶着部
１２ｃ・・・右側溶着部
１２ｄ・・・底部溶着部
１２ｅ・・・底部溶着部
１４・・・・流体層通箇所（注入排出筒の袋本体接続側の基部）
１５・・・・底部
１５ａ・・・紐通し用孔
１６・・・・折り重ね部
１６ａ・・・折り返し片
１６ｂ・・・溶着部
１７・・・・折り重ね部
１７ａ・・・折り返し片
１７ｂ・・・溶着部
１８・・・・頂部
１８ａ・・・偶角部
２０・・・・延長部
２０ａ・・・延長部の上端
２０ｂ・・・延長部の左側部
２０ｃ・・・延長部の左側部
２２・・・・非溶着箇所
２４・・・・手提用の孔
２６・・・・ポケット部
２８・・・・蓋
２８ａ・・・蓋の自由端
２８ｃ・・・面ファスナーの雌部材
２８ｄ・・・面ファスナーの雌部材に形成した孔
２８ｅ・・・孔の円形口
２８ｆ・・・孔の円形口
２８ｇ・・・孔の切り込み
３０・・・・注入排出筒
３０’・・・注入排出筒の折り畳み体
３０ａ・・・注入排出筒を構成する表側のシート
３０ｂ・・・注入排出筒を構成する裏側のシート
３２ａ・・・注入排出筒の開放上端
３２ｂ・・・注入排出筒の開放下端
３２ｃ・・・注入排出筒の左側溶着部
３２ｄ・・・注入排出筒の右側溶着部
４０・・・・補強用テープ
ｐ・・・・・空隙
【図１】
2009054171.tif 000004
【図２】
2009054171.tif 000005
【図３】
2009054171.tif 000006
【図４】
2009054171.tif 000007
【図５】
2009054171.tif 000008
【図６】
2009054171.tif 000009
【図７】
2009054171.tif 000010
【図８】
2009054171.tif 000011
【図９】
2009054171.tif 000012
【図１０】
2009054171.tif 000013
【図１１】
2009054171.tif 000014
【図１２】
2009054171.tif 000015
【図１３】
2009054171.tif 000016
【国際調査報告】
2009054171.tif 000017
2009054171.tif 000018